(57)【特許請求の範囲】
【請求項１】
上面より上方へ突設したステム（６）の押込みにより収納液をステム（６）上端より噴出する如く構成した噴出機構を備えてなる容器体（２）と、ステム（６）上端に嵌着するとともに、ステム（６）内と液流路（ａ）を介して連通する噴出口（７）を備えてなる噴出ヘッド（３）と、該噴出ヘッドを押込み可能に突出させて容器体（２）上に嵌着した支持台（４）と、該支持台（４）上前部に前部を回動可能に連結して上下揺動可能に設けるとともに、中央部に噴出口（７）を露出した板状をなし、且つ、押下げにより噴出ヘッド（３）の押し下げを可能に設けた足踏レバー（５）とを備え、支持台（４）の頂板（10）中央部に穿設した窓孔（25）の前縁部に薄肉ヒンジ（26）を介して前縁部を連結して窓孔（25）内を上下揺動可能な揺動板（８）を設け、揺動板（８）中央に噴出ヘッド外周下部を固定し、足踏レバー（５）の押し下げによる揺動板（８）の押し下げにより噴出ヘッド（３）の押し下げを可能とし、足踏レバー（５）の後部を噴出口（７）より高レベルに位置させて足掛部（12）となしたことを特徴とする足踏み式塗布容器。
【請求項２】
上記噴出口（７）が、横に並列させた複数の噴出口である請求項１記載の足踏み式塗布容器。
【発明の詳細な説明】
【０００１】
【発明の属する技術分野】
本発明は足踏み式塗布容器に関する。
【０００２】
【従来の技術】
足の疲労回復や消臭或いは傷跡の消毒等を目的として、足に消臭剤や疲労回復剤、或いは消毒剤などを塗布することが行われている。これらの塗布に際して使用される塗布用容器として、例えば、一般的なエアゾール容器が使用されており、筒状の胴部上端より上方付勢状態で押込み可能なステムを突設した容器体と、前記ステムに嵌着した噴出ヘッドとからなるものが知られている。
【０００３】
従来のこの種の容器は、容器体胴部を手にもって足の該当箇所に液を噴出するため、体を屈折する等の不都合な状態で塗布することが多く、使い勝手が悪い。
【０００４】
この様な点を考慮して足を乗せて液を噴出する足踏み式吐出容器も提案されている。これらは容器体に押し下げ可能に台を設け、該台上に足を乗せて押し込むことにより台上面に開口した噴出口より液が噴出する如く構成したもので、上記した不都合を解消できるものである。
【０００５】
【発明が解決しようとする課題】
しかしながら、これらは足裏の適所、特に指裏に液を塗布する際に均一な塗布が行い難い欠点があった。
【０００６】
本発明は上記した点に鑑みなされたもので、足の裏への適所に均一な塗布が容易に行える足踏み式塗布容器を提案するものである。また、特に足の指裏への均一な塗布を容易に行える足踏み式塗布容器を提案するものである。
【０００７】
【課題を解決するための手段】
本願請求項１発明の容器は、上記課題を解決するため、上面より上方へ突設したステム６の押込みにより収納液をステム６上端より噴出する如く構成した噴出機構を備えてなる容器体２と、ステム６上端に嵌着するとともに、ステム６内と液流路ａを介して連通する噴出口７を備えてなる噴出ヘッド３と、該噴出ヘッドを押込み可能に突出させて容器体２上に嵌着した支持台４と、該支持台４上前部に前部を回動可能に連結して上下揺動可能に設けるとともに、中央部に噴出口７を露出した板状をなし、且つ、押下げにより噴出ヘッド３の押し下げを可能に設けた足踏レバー５とを備え、支持台４の頂板10中央部に穿設した窓孔25の前縁部に薄肉ヒンジ26を介して前縁部を連結して窓孔25内を上下揺動可能な揺動板８を設け、揺動板８中央に噴出ヘッド外周下部を固定し、足踏レバー５の押し下げによる揺動板８の押し下げにより噴出ヘッド３の押し下げを可能とし、足踏レバー５の後部を噴出口７より高レベルに位置させて足掛部12となしたことを特徴とする足踏み式塗布容器として構成した。
【０００８】
また、請求項２発明の容器は、上記噴出口７が、横に並列させた複数の噴出口である請求項１記載の足踏み式塗布容器として構成した。
【０００９】
【発明の実施の形態】
以下、本発明の実施の形態を図面を参照して説明する。
【００１０】
本発明の足踏み式塗布容器１は、噴出機構を備えた容器体２と、噴出ヘッド３と、支持台４と、足踏レバー５とを備えている。
【００１１】
容器体２は、上面より上方へ突設したステム６の押込みにより収納液をステム６上端より噴出する如く構成した噴出機構を備えたもので、合成樹脂や金属等により形成される。また、足を乗せることを考慮して、それに耐え得る充分な強度を得るための肉厚，材質，座高，設置面積等を選択して形成する。
【００１２】
容器体２に備えた噴出機構は、ステム６の押込みにより収納液をステム６上端より噴出する如く構成したもので、ポンプ形態のものやエアゾールを利用した公知の噴出機構が採用できる。
【００１３】
噴出機構としてのポンプの一例を図示せずに説明すると、容器体内に垂下したシリンダ内周に摺動可能に嵌合させた環状ピストンをステムの下部外周より突設し、ステムの上部をシリンダ上端より突出する。また、ステムをコイルスプリング等により常時上方へ付勢させる。更に、シリンダ内下部には吸込弁を設けるとともに、ステム内には吐出弁を設け、ステムの上下動により容器体内の液を吸い上げてステム上端開口より噴出する如く構成した公知機構のものが採用できる。
【００１４】
また、エアゾールタイプの場合には、例えば、容器体２内に押し下げ開弁式の吐出弁を内蔵し、ステム６の押下げにより吐出弁が開弁する如く構成している。また、開弁の際に収納ガスのガス圧により収納液を噴出する如く構成した公知機構のものが採用できる。
【００１５】
噴出ヘッド３は、ステム６に上端に嵌着するとともに、ステム６内と液流路ａを介して連通する噴出口７を備えている。噴出口７は一般に上端面に開口するが、場合によっては、側面に斜め上方を向かせて開口することも可能である。またその数も一箇所であっても複数箇所であっても良いが、図１乃至図４或いは図５及び図６の実施例の如く、複数の噴出口７を横に並設すると、足の指全体に万弁なく収納液を塗布できる。
【００１６】
また、噴出ヘッド３は、図１の実施例の如く、単独に形成しても、或いは、図５の実施例の如く、他の部材と一部を一体に形成しても、或いは図示しないが、他の部材と一体に形成しても良い。
【００１７】
支持台４は、噴出ヘッド３を押込み可能に突出させて容器体２上に嵌着したもので、足踏レバー５を支持するために設けている。この支持台４は、図１に示す如く、噴出ヘッド３を押し下げる揺動板８を一体に設けたものや、図７に示す如く、噴出ヘッド３を揺動板８ともども一体に設けたものであっても良く、或いは図５に示す如く、揺動板８のないものであっても良い。
【００１８】
支持台４の基本的構成としては、容器体２に嵌合させた嵌合筒９を頂板10裏面より垂設し、頂板10中央部を貫通して噴出ヘッド３の噴出口７を噴出可能に突出した形態をとり、好ましくは頂板10周縁部より容器体周縁部上面に下面を当接する周壁11を垂設したものが採用される。
【００１９】
足踏レバー５は、支持台４上前部に前部を回動可能に連結して上下揺動可能に設けるとともに、中央部に噴出口７を露出した板状をなし、且つ、押下げにより噴出ヘッド３の押し下げを可能に設けている。また、その後部を噴出口７より高レベルに位置させて足掛部12として構成している。
【００２０】
支持台４への連結手段としては、図示例の如く、その前部両側を支持台４前部に枢着することにより行えるが、支持台４と薄肉ヒンジを介して連結する形態も採用することができる。この場合には、支持台４と足踏レバー５とを一体に形成する。
【００２１】
噴出ヘッド３の押し下げ形態としては、図１に示す如き、揺動板８を押し下げる形態、図５に示す如く、直接噴出ヘッド３を押し下げる形態、或いは図８に示す如く、足踏レバー５下面より突設した板バネ35を介して揺動板８と一体に形成された噴出ヘッド３を押し下げる形態等種々の形態を採用できる。
【００２２】
図１乃至図４は一例を示し、比較的座高の低い筒状の胴部13を備えた容器体２を使用しており、筒状の胴部13上端より肩部14を介して口部15を立設し、口部15の上端開口を蓋板16により閉塞している。蓋板16は、その中央より押込み可能にステム６を突出させ、また、周縁部を口部の上端にカシメて連結固定している。
【００２３】
噴出ヘッド３は合成樹脂等により形成されたもので、底板部材17と、上板部材18とで構成している。底板部材17は、ステム６外周に液密に嵌着させた装着筒19を底板20裏面より垂設するとともに、底板20周縁部より環状の垂壁21を垂設している。また、上板部材18は、底板部材17の垂壁21外周に密嵌させた環状の嵌合筒部22を頂板23周縁部より垂設して構成しており、頂板23には四つの噴出口７…を横に並設している。そして、ステム６より供給された液が、装着筒19内と、底板20及び頂板23間の隙間24とで構成した液流路ａを介して各噴出口７より噴出する如く構成している。
【００２４】
支持台４は、容器体２の口部15外周に下部を嵌合させた嵌合筒９を頂板10下面より垂設するとともに、その内周下端部に設けた係合突条を口部外周に設けた下向き段部に係合させて上方への抜け出しを防止している。また、頂板10の周縁部から垂設した周壁11の下端を容器体２の上面周縁部に当接係止させている。更に、頂板10中央部に穿設した窓孔25の前縁部に前縁部を薄肉ヒンジ26を介して連結し、窓孔25内を上下揺動可能な揺動板８を設けている。この揺動板８は、その中央部に嵌合孔27を穿設し、この嵌合孔27に上記噴出ヘッド外周下部を嵌着固定している。この際、噴出ヘッド３の上板部材18の嵌合筒部22外周下端部に突設した係合突条を揺動板８下面に係合させて上方への抜け出しを防止している。頂板10の周縁部上面にはキャップ28を嵌合させるための筒部29を立設している。また、頂板10の前部には一段高い横長矩形状の嵌合凹部30を形成し、嵌合凹部30両側に枢着穴31を横設している。
【００２５】
足踏レバー５は、支持台４前部の嵌合凹部30内に前端部5aを回動可能に嵌合させるとともに、その両側の枢着軸32をそれぞれ枢着穴31に枢着させて揺動可能に設けている。また、中央部5bは支持台４の窓孔25後方まで至る平板状で、中央に噴出口７を突出させるための横長楕円状をなす挿通窓33を穿設している。更に、後端部5cは、通常の足幅を乗せるのに不都合のない幅広で、噴出口７より上方位置にある横長帯状の足掛部12を設けている。また、挿通窓33後方の裏面より、揺動板８上面に当接して該揺動板を押し下げる押圧突起34を垂設している。
【００２６】
この様に構成した足踏み式塗布容器１は、足の指に液を塗布したい場合には、図４に示す如く、足踏レバー５の足掛部12に足の裏の中央部を当接すると、足の指が噴出口７部分上方に位置し、そのまま足踏レバー５を押し下げれば液が噴出する。噴出口７と指との距離は足の角度を変えれば適宜変更でき、液の噴霧範囲を調整できる（液は一般に噴出口７より遠ざかるほど拡散する）。また、足掛部12を支点として足前部を左右に回動させることも容易に行える。
【００２７】
図５乃至図６は他の一例を示すもので、本実施例では、図１の実施例に於いて、揺動板８を排除した支持台４を設けている。また、噴出ヘッド３は足踏レバー５と一部を一体に形成したもので、具体的には、挿通窓33を無くした以外図１の実施例と同様の足踏レバー５の前後方向中間部下面に嵌合筒部22a を垂設するとともに、該嵌合筒部22a 内側のレバーに複数の並列した噴出口７を穿設している。そして、嵌合筒部22a 内に上記と同様の底板部材17を嵌着して噴出ヘッド３を構成している。その他は図１の実施例と同様である。
【００２８】
図７及び図８の実施例では、支持台４は、図１の実施例と同様に容器体２上に嵌着しており、また、頂板１中央部に穿設した窓孔25の前縁部に前縁部を薄肉ヒンジ26を介して連結し、窓孔25内を上下揺動可能な揺動板８を設けている。この揺動板８は、その中央部を貫通して筒状の噴出ヘッド３を一体に設けており、噴出ヘッド３下端をステム６上端に嵌着させている。
【００２９】
足踏レバー５は、図１の実施例と同様に枢着されており、また、挿通窓33は噴出口７が一箇所なので、中央部に円形に穿設している。また、挿通窓33周囲の下面からは複数の板バネ35を一体に突設し、その下端部を揺動板８上面に当接係止させている。その他は実施例１と同様である。
【００３０】
この場合には、足踏レバー５を押し下げると、板バネ35を介して揺動板８を押し下げる如く構成している。
【００３１】
【発明の効果】
以上説明した如く、本請求項１発明の足踏み式塗布容器は、既述構成としたことにより、足踏レバー５上に足を乗せて押し下げるという簡単な操作により液剤を塗布することができ、しかも噴出口７と足裏との塗布中の距離調整が容易であり、足裏の均一な塗布を容易に行えるものである。
【００３２】
また、請求項２発明の足踏み式塗布容器は、横に並列させた複数の噴出口７を備えているため、特に足の指裏への液の塗布を簡単に且つ均一に行える利点を兼ね備えている。
【図面の簡単な説明】
【図１】本発明の一実施例を示す平面図である。
【図２】図１のＡ−Ａ線に沿う縦断面図である。
【図３】図１のＢ−Ｂ線に沿う縦断面図である。
【図４】同実施例の使用を説明する説明図である。
【図５】本発明の他の実施例を示す縦断面図である
【図６】同実施例の縦断面図である。
【図７】本発明の更に他の実施例を示す縦断面図である。
【図８】同実施例の平面図である。
【符号の説明】
２…容器体，３…噴出ヘッド，４…支持台，５…足踏みレバー，
６…ステム，７…噴出口，12…足掛部
【図１】
0004974203.tif 000002
【図２】
0004974203.tif 000003
【図３】
0004974203.tif 000004
【図４】
0004974203.tif 000005
【図５】
0004974203.tif 000006
【図６】
0004974203.tif 000007
【図７】
0004974203.tif 000008
【図８】
0004974203.tif 000009